(57)【要約】      （修正有）【課題】アクセスノードが同期信号をビームフォーミングを用いて送信し、移動端末がこの信号を検出することと、システムアクセス要求を例えばＲＡＣＨ要求を用いて送信し、ＡＮが端末からこの試みを検出する方法を提供する。【解決手段】各同期シーケンスは、それぞれのタイミング表示を含む。タイミング表示は、同期信号インデックスに対応しており、それによって同期信号インデックスにより受信無線デバイスにおけるイベントの時間を決定できるよう、複数の同期シーケンスを決定する。イベントの時間は、ネットワークノードが受信無線デバイスからのＵＬ信号をリッスンすべき時間を含む。それぞれ異なる時間に同期シーケンスを一以上の無線デバイスに送信する。【選択図】図５
2019193286.tif 000002
【特許請求の範囲】
【請求項１】
一以上の受信無線デバイスに対する同期信号の同期シーケンスを送信するために、ネットワークノードで用いられる方法であって、
−  各同期シーケンスがそれぞれのタイミング表示を含み、それによって各同期シーケンスにより受信無線デバイスにおけるイベントの時間を決定できるよう、複数の同期シーケンスを決定すること（Ｓ２）と、
−  それぞれ異なる時間に前記同期シーケンスを前記一以上の無線デバイスに送信すること（Ｓ３）とを含む、方法。
【請求項２】
請求項１に記載の方法であって、前記複数の同期シーケンスは、一つの特定のイベントを参照する同期信号の時間依存バージョンである、方法。
【請求項３】
請求項１または２に記載の方法であって、
−  前記イベントの時間を決定すること（Ｓ１）を更に含む、方法。
【請求項４】
請求項１乃至３のいずれか一項に記載の方法であって、前記同期シーケンスはそれぞれ異なる方向へと送信される、方法。
【請求項５】
請求項４に記載の方法であって、前記同期シーケンスの送信はビーム掃引を構成する、方法。
【請求項６】
請求項１乃至５のいずれか一項に記載の方法であって、前記タイミング表示はそれぞれの前記同期シーケンスの送信の時間に関連している、方法。
【請求項７】
請求項１乃至６のいずれか一項に記載の方法であって、前記タイミング表示は基準クロックに関連している、方法。
【請求項８】
請求項１乃至７のいずれか一項に記載の方法であって、前記イベントは、前記無線デバイスが送信を許容された予約済みタイムスロットの時間である、方法。
【請求項９】
請求項８に記載の方法であって、前記予約済みタイムスロットはランダムアクセスウィンドウである、方法。
【請求項１０】
請求項１乃至７のいずれか一項に記載の方法であって、前記イベントは前記ネットワークノードからの更なる送信の時間である、方法。
【請求項１１】
請求項１乃至１０のいずれか一項に記載の方法であって、前記タイミング表示は前記同期シーケンスにエンコードされている、方法。
【請求項１２】
請求項１乃至１１のいずれか一項に記載の方法であって、前記同期シーケンスは、一セットの相違する同期シーケンスのうちの一同期シーケンスを含むよう決定され、前記セットのうちの前記相違する同期シーケンスの各々はそれぞれの時間またはタイミングへとマッピングされる、方法。
【請求項１３】
請求項１２に記載の方法であって、各同期シーケンスは時間またはタイミングにインデックスによってマッピングされる、方法。
【請求項１４】
ネットワークノードにより実行されたときに、前記ネットワークノードにより請求項１乃至１３のいずれか一項に記載の方法を実行させるためのコンピュータプログラムコードを含むコンピュータプログラム。
【請求項１５】
同期信号の一以上の同期シーケンスを受信するために、無線デバイスで用いられる方法であって、
−  同期シーケンスのためのスペクトラムを監視すること（Ｓ１１）と、第一の同期シーケンスが検出されると、
−  検出された前記第一の同期シーケンスの内容を分析することでイベントの時間を定めるタイミング表示を取得すること（Ｓ１２）とを含む、方法。
【請求項１６】
請求項１５に記載の方法であって、
−  第二の同期シーケンスを受信すること（Ｓ１１ｂ）を含み、前記第一の同期シーケンスと前記第二の同期シーケンスは同じ時間を定める、方法。
【請求項１７】
請求項１５または１６に記載の方法であって、
−  前記タイミング表示により規定される前記時間にトランシーバ動作を実行すること（Ｓ１３）を含む、方法。
【請求項１８】
請求項１５乃至１７のいずれか一項に記載の方法であって、前記タイミング表示はそれぞれの前記同期シーケンスの送信の時間に関連している、方法。
【請求項１９】
請求項１５乃至１８のいずれか一項に記載の方法であって、前記タイミング表示は基準クロックに関連している、方法。
【請求項２０】
請求項１５乃至１９のいずれか一項に記載の方法であって、前記イベントは、前記無線デバイスが送信を許容された予約済みタイムスロットの時間である、方法。
【請求項２１】
請求項２０に記載の方法であって、前記予約済みタイムスロットはランダムアクセスウィンドウである、方法。
【請求項２２】
請求項１５乃至２１のいずれか一項に記載の方法であって、前記イベントは前記無線デバイスがネットワークノードからの更なる送信をリッスンするよう要求されている時間である、方法。
【請求項２３】
請求項１５乃至２２のいずれか一項に記載の方法であって、前記タイミング表示は前記同期シーケンスにエンコードされ、前記分析することは前記同期シーケンスをデコードすることを含む、方法。
【請求項２４】
請求項１５乃至２３のいずれか一項に記載の方法であって、前記無線デバイスは、いくつかの相違する同期シーケンスのための前記スペクトラムを監視し、前記相違する同期シーケンスの各々はそれぞれの時間またはタイミングへとマッピングされる、方法。
【請求項２５】
請求項２４に記載の方法であって、各同期シーケンスは、時間またはタイミングにインデックスによりマッピングされ、前記取得すること（Ｓ１２）は、前記インデックスを用いてタイミングの時間を検索することを含む、方法。
【請求項２６】
ネットワークノードにより実行されたときに、前記無線デバイスにより請求項１５乃至２５のいずれか一項に記載の方法を実行させるためのコンピュータプログラムコードを含むコンピュータプログラム。
【請求項２７】
一以上の受信無線デバイスに対する同期信号の同期シーケンスを送信するよう構成された、セルラ通信ネットワークにおけるネットワークノード（２０）であって、
−  通信インターフェイス（２１）と、
−  前記ネットワークノード（２０）に、
−  各同期シーケンスがそれぞれのタイミング表示を含み、それによって各同期シーケンスにより受信無線デバイスにおけるイベントの時間を決定できるよう、複数の同期シーケンスを決定させ（Ｓ２）、
−  それぞれ異なる時間に前記同期シーケンスを前記一以上の無線デバイスに送信させる（Ｓ３）よう構成された処理回路（２２）と
を含むネットワークノード（２０）。
【請求項２８】
同期信号の一以上の同期シーケンスを受信するよう構成された無線デバイス（１０）であって、
−  回路の通信インターフェイス（１１）と、
−  前記無線デバイス（１０）に、
−  同期シーケンスのためのスペクトラムを監視させ（Ｓ１１）、第一の同期シーケンスが検出されると、
−  検出された前記第一の同期シーケンスの内容を分析することでイベントの時間を定めるタイミング表示を取得させる（Ｓ１２）よう構成された処理回路（１２）と
を有する無線デバイス（１０）。
【発明の詳細な説明】
【技術分野】
【０００１】
本開示は同期信号の送信に関し、特にいわゆるビーム掃引に関する。特に本開示は、それぞれ異なる時間に送信される同期シーケンスを用いた同期を提供するための方法に関する。本開示はまた対応機器およびコンピュータプログラムにも関連する。
【背景技術】
【０００２】
第三世代パートナーシッププロジェクト（３ＧＰＰ）はユニバーサルモバイルテレコミュニケーションシステム（ＵＭＴＳ）およびロングタームエボリューション（ＬＴＥ）の標準化について責任を負う。ＬＴＥに関する３ＧＰＰの作業は、進化型ユニバーサルテレストリアルアクセスネットワーク（Ｅ−ＵＴＲＡＮ）とも呼ばれる。ＬＴＥは、ダウンリンク及びアップリンクの両方で高データ速度を達成でき、ＵＭＴＳに関して次世代の移動通信システムとして考えられている高速パケットベース通信を実現するための技術である。高データレートをサポートするために、ＬＴＥは、２０ＭＨｚ、あるいはキャリヤアグリゲーションを用いたときには最高１００ＭＨｚのシステム帯域幅が可能である。ＬＴＥはまたそれぞれ異なる周波数帯域内で動作でき、かつ少なくとも周波数分割複信（ＦＤＤ）および時分割複信（ＴＤＤ）モードで動作できる。
【０００３】
例えばユーザ機器（ＵＥ）の電源オンの後、あるいは延長スリープ期間後の覚醒時に、ＵＥが無線通信システムへの接続を望む場合、ＵＥは初期アクセス手続きを経験する。この手続きの最初のステップは通常、ネットワークアクセスノード（ＡＮ、基地局またはネットワークノードとも呼ばれる。）により規則的にブロードキャストされる同期シーケンスを含む同期信号をＵＥが探索して検出することである。従来技術においては、同期信号は明白に使用されてはいないことに注意されたい。この開示においては用語「同期信号」は、アクセスノードにより規則的にブロードキャストされる全ての同期シーケンスを参照するために用いられる。換言すれば、同期信号は周期的に反復されるシーケンスの全体である。同期信号により、ＵＥは時間及び周波数においてネットワークと揃えることができる。すなわち、ＵＥは、シンボル（例えばＯＦＤＭシンボル）間の時間的な境界がどこにあるのかを学習でき、ＵＥが小さな許容誤差内でネットワークと同じキャリヤ周波数を利用することを保証できる。そのような時間及び周波数の調整はその後の通信のためには不可欠である。ＬＴＥにおいては、ＵＥにとって調整のためにはひとつの同期シーケンスで十分であるかもしれないが、いくつかのケースではいくつもの同期シーケンスが必要であろう。同期シーケンスは規則的に再送信されているため、いくつもの同期シーケンスを利用することは問題ではない。調整が成功した後、ＵＥは、システムのタイプに応じて、ネットワークからの追加情報（例えばいわゆるシステム情報）をリッスンすること、及び／又はネットワークへの参加要求に応答すること（しばしば物理ランダムアクセスチャネルメッセージまたは物理ランダムアクセスチャネル（ＰＲＡＣＨ）メッセージと呼ばれる）をサポートされてもよい。ＵＥは通常、システム中の他の送信と衝突する可能性があるため任意の時間に参加要求を送信することはできず、むしろ同期信号が送信された後で所定の時間間隔でそれを送信すべきである。ＵＥは通常、同期信号の後のどの時間間隔で追加情報（もしあれば）を見つけることを期待できるかも知っており、それゆえ追加情報の探索及び検出の複雑さを軽減している。
【０００４】
いくつかのシステムでは、ＵＥは、ネットワークへの参加要求に直接応答せず、その代わりに、いくらかの追加情報を送信するようネットワークに要求するだけ、またはアップリンク（ＵＬ）上の同期を達成するためにＵＬ同期信号を送信するだけである（著しい伝達遅延を伴うシステムにおいては、ダウンリンク（ＤＬ）同期はＵＬ同期を自動的に保証しない）。一般論としては、これからは、ＤＬ同期信号に応答するすべてのＵＬシグナリングをＵＬ信号と呼ぶであろう（ネットワークへの参加要求、追加システム情報の要求またはＵＬ同期信号を含むが、これらに限らない）。
【０００５】
初期アクセス手続きと類似した手続きが、ＵＥがハンドオーバをしたい場合、すなわちＵＥが既にシステムに接続されているが他のアクセスノード（ＡＮ）への接続を望んでいる場合にも実行される。
【０００６】
高利得狭ビームフォーミングを頻繁に利用するための将来のシステムが期待されている。それにより、低アンテナ利得を持つ非常に遠方のユーザに対しても、及び／又は、通常のセクタ幅ビームにより現実にはカバーされないであろう高周波数帯域において、高データレート送信カバレッジを可能とするであろう。
【０００７】
そのようなシステムにおいて、初期アクセス手続きがカバレッジ制限要因とならないようにするために、同期信号は通常、高利得狭ビームも利用しなければならないであろう。これは、ＡＮが通常、アクセスノード（ＡＮ）によりサービスされる地理的領域をカバーするために、同期信号をそれぞれ異なる方向へと複数回送信しなければならないことを意味する。しばしば５Ｇシステムと呼ばれる次世代通信システムのために想定された典型的なアンテナ構成により、狭ビームは、地理的領域全体の小さな部分（例えば１％）のみを一時にカバーでき、その結果必要な全方向へとビームを送信する（一時に一方向又は少数の方向）ために多くの時間がかかる可能性がある。
【０００８】
ＡＮは、原理的には、ハードウェア構成に応じて同期信号を同時に多くの方向へ送信できるが、ＡＮの最大の合計出力電力を考えると、そのような同時送信は、ビームあたりの比例的に減少する電力を犠牲にしており、すなわち事実上カバレッジを縮小させる。これは、過剰な総出力電力が利用できるようなハードウェアを、容量を過大に設定することによって補えるが、これにより機器のコストは不都合に増大するであろう。全ての必要な方向へとビームを逐次送信する手続きはビーム掃引またはビーム走査と呼ばれる。「必要な方向」は、ここではカバレッジが望まれる全ての方向を意味する。
【０００９】
ＵＥは、ビーム掃引の間、同期信号の多くの送信のどれでも聞くことができ、ネットワークはＵＥがどれを聞いたかを知らないであろう。これは、ＵＥが、同期ビーム送信を聞いた後の或る時間に、たとえばＰＲＡＣＨを用いたシステムアクセス要求を送信することをサポートされているなら（これは典型的なランダムアクセス要求手続きである）、ネットワークが、所与の方向で複数の時間インスタンスにおいてＵＬ信号をリッスンしなければならず、かつ／またはＵＥがそのＵＬ信号を複数の時間インスタンスにおいて送信しなければならないことを意味する。またこれは、ＵＥが、システムにアクセスするために必要なすべての追加情報（たとえばシステム情報）を、複数の時間インスタンスにおいてリッスンする必要があり、かつ／またはネットワークは複数の時間インスタンスにおいて追加情報を送信する必要があることを意味している。説明したすべてのケースは無線リソースの非効率な利用の原因となる。具体的には、これは、ノードが通常は、どの時点においても限定的な数の信号だけをリッスンすればよく、半複信ＴＤＤシステム（将来の無線通信システムのための典型的な選択）において、ノードは、リスニングにしている間は、いかなる信号も全く送信できないからである。
【００１０】
C. Nicolas Baratiその他による論文「Directional Cell Search for Millimeter Wave Cellular Systems（ミリ波セルラシステムのための指向性セル探索）」は、移動端末によるビームベースの同期信号の検出の問題を扱っている。著者らは、基地局が、角度間隔を走査するために、送信信号をランダムな方向へと周期的に送信することを提案し、最大尤度に基づく、移動端末が最強の方向を検出することができる場所の検出アルゴリズムが提案されている。
【００１１】
しかしながら、既知の参考文献は、ＡＮが同期信号をビームフォーミングを用いて送信し、移動端末がこの信号を検出することと、システムアクセス要求を例えばＲＡＣＨ要求を用いて送信し、ＡＮが端末からこの試みを検出することとの統合問題を扱ってはいない。
【発明の概要】
【００１２】
本開示の一つの目的は、上記で特定した技術の欠陥および不利益のうちの一以上を単独でまたは任意の組み合わせで、軽減し、緩和し、または除去しようとする方法及びデバイスを提供することである。
【００１３】
これは、一以上の受信無線デバイスに対する同期信号の同期シーケンスを送信するために、ネットワークノードにおいて使用するための方法により得られる。前記方法は、複数の同期シーケンスを、各同期シーケンスがそれぞれのタイミング表示を含むように決定することを含む。それによって、各同期シーケンスにより受信無線デバイスにおけるイベントの時間を決定することができ、それぞれ異なる時間に前記一以上の無線デバイスに前記同期シーケンスを送信することができる。各同期シーケンス内のタイミング表示を提供することで、前記無線デバイスはイベントのより正確な時間を得ることができ、その結果、しかるべく対処できる。ビーム掃引を用いたシステムにおいて、前記タイミング表示は、前記無線デバイスを前記ネットワークノードへ同期させるための方法を提供する。前記イベントは、たとえば前記ネットワークノードが前記無線デバイスからのシステムアクセス要求をリッスンすることである。その具体的なケースでは、前記無線デバイスは前記タイミング表示を用いて前記システムアクセス要求をいつ送信するかを決定する。前記無線デバイスはその結果、そのアップリンク（ＵＬ）信号を複数の時間インスタンスで送信する必要がない。また、前記システムにアクセスするために必要なすべての追加情報（たとえばシステム情報）を、複数の時間インスタンスにおいてリッスンする必要がなく、かつ／または前記ネットワークは複数の時間インスタンスにおいて追加情報を送信する必要がない。
【００１４】
いくつかの側面によれば、前記複数の同期シーケンスは、一つの特定のイベントを参照する同期信号の時間依存バージョンである。同期信号の時間依存バージョンを提供することにより、前記ビーム掃引がそれぞれ異なる時間に信号を送信することを補うことができる。
【００１５】
いくつかの側面によれば、前記方法は、前記イベントの時間を決定することを更に含む。前記時間は、前記複数の同期シーケンス内の前記タイミング表示を提供するときに利用できる。
【００１６】
いくつかの側面によれば、前記同期シーケンスはそれぞれ異なる方向へと送信される。この結果、前記ネットワークノードからそれぞれ異なる方向に位置する無線デバイスは、それぞれ異なる方向へと送信された同期シーケンスの形で前記同期信号を受信する。前記無線デバイスは、その結果、前記同期シーケンス内の前記タイミング表示を、前記イベントを前記ネットワークノードと同期させるために利用できる。
【００１７】
いくつかの側面によれば、前記同期シーケンスの前記送信は、ビーム掃引を構成する、すなわち前記同期シーケンスは前記ネットワークノードからいくつもの方向へと送信される。前記ネットワークノードはその結果、高利得狭ビームフォーミングを利用し、それにより低アンテナ利得を持つ、通常のセクタ幅ビームにより現実にはカバーされないであろう非常に遠方のユーザに対しても高データレート送信カバレッジを可能とするであろう。
【００１８】
いくつかの側面によれば、前記タイミング表示は前記それぞれの同期シーケンスの送信の時間に関連している。前記タイミング表示が前記送信の時間に関連している場合、前記無線デバイスは前記イベントの前記時間がいつかを容易に決定することができる。
【００１９】
いくつかの側面によれば、前記タイミング表示は基準クロックに関連している。基準クロックを用いる場合、前記基準クロックを参照することで、正確なタイミング表示を与えることができる。
【００２０】
いくつかの側面によれば、前記イベントは、前記無線デバイスが送信を許容された予約済みタイムスロットの時間である。すなわち、前記イベントは、前記ネットワークノードが前記無線デバイスからのＵＬ信号をリッスンする時間である。この結果、前記無線デバイスは前記ネットワークノードへ送信できる時間を通知される。
【００２１】
いくつかの側面によれば、前記予約済みタイムスロットはランダムアクセスウィンドウである。そのため、前記無線デバイスは、ランダムアクセスパケットを送信する時間を知らされる。
【００２２】
いくつかの側面によれば、前記イベントは前記ネットワークノードからの更なる送信の時間である。
【００２３】
いくつかの側面によれば、前記タイミング表示は前記同期シーケンスにエンコードされる。いくつかの側面によれば、前記同期シーケンスは、一セットの相違する同期シーケンスのうちから一同期シーケンスを含み、前記セットのうちの前記相違する同期シーケンスの各々はそれぞれの時間またはタイミングへとマッピングされる。それぞれ異なる同期シーケンスがそれぞれ異なる方向へとそれぞれ異なる時間に送信され、それらが相違する場合、前記受信無線デバイスは前記タイミング表示のための値を推定できる。換言すれば、前記タイミング表示は、前記異なる同期シーケンス内で黙示的である。
【００２４】
いくつかの側面によれば、各同期シーケンスは時間またはタイミングに、インデックスによってマッピングされる。その結果、前記時間またはタイミングは、例えばテーブルの中でそのインデックスを調べることで決定できる。
【００２５】
いくつかの側面によれば、この開示はまた、同期信号の同期シーケンスを一以上の受信無線デバイスへと送信するよう構成されたセルラ通信ネットワーク内のネットワークノードにも関連する。前記ネットワークノードは通信インターフェイスと処理回路とを含む。前記処理回路は、前記ネットワークノードに、各同期シーケンスがそれぞれのタイミング表示を含むよう複数の同期シーケンスを決定させ、それにより各同期シーケンスによって受信無線デバイス内のイベントの時間を決定でき、また前記ネットワークノードに、前記同期シーケンスを前記一以上の無線デバイスへとそれぞれ異なる時間に送信させるよう構成される。前記ネットワークノードはさらに、上述の及び下述のネットワークノード内の前記方法のすべての形態を実行するよう構成される。
【００２６】
いくつかの側面によれば、この開示はまた、ネットワークノードのプログラム可能コントローラ内で実行されたときに、前記ネットワークノードに上述の及び下述の前記方法を実行させるコンピュータプログラムコードを含むコンピュータプログラムに関連する。
【００２７】
この開示の目的は、同期信号の一以上の同期シーケンスを受信するために、無線デバイスで用いられる方法によってさらに得られる。前記方法は、同期シーケンスのためのスペクトラムを監視することと、第一の同期シーケンスが検出された場合に、検出された前記第一の同期シーケンスの内容を分析することによって、イベントの時間を定めるタイミング表示を取得することとを含む。その結果、前記無線デバイスは、前記イベントの時間を知らされ、それに応じて対処できる。前に検討したように、これによって、前記無線デバイスはその結果、そのアップリンク（ＵＬ）信号を複数の時間インスタンスで送信する必要がない。また、前記システムにアクセスするために必要なすべての追加情報（たとえばシステム情報）を、複数の時間インスタンスにおいてリッスンする必要がなく、かつ／または前記ネットワークは複数の時間インスタンスにおいて追加情報を送信する必要がない。
【００２８】
いくつかの側面によれば、前記方法は、第二の同期シーケンスを受信することを含み、前記第一と前記第二の同期シーケンスは同じ時間を定める。前記同期シーケンスは、それぞれ異なるが同じ時間を定めるタイミング表示を含んでよい。これは例えば、前記イベントが、前記ネットワークノードから全方向の全無線デバイスについて同じ時間に発生するイベントであるならば有用である。
【００２９】
いくつかの側面によれば、前記方法は前記タイミング表示により規定される前記時間においてトランシーバの動作を実行することを含む。
【００３０】
いくつかの側面によれば、前記タイミング表示は前記それぞれの同期シーケンスの送信の時間に対する相対時間である。前記タイミング表示が前記送信の時間に関連している場合、前記無線デバイスが前記イベントの時間がいつかを容易に決定することができる。
【００３１】
いくつかの側面によれば、前記タイミング表示は基準クロックに関連している。基準クロックを用いる場合、前記基準クロックを参照することで、正確なタイミング表示を与えることができる。
【００３２】
いくつかの側面によれば、前記イベントは、前記無線デバイスが送信を許容された予約済みタイムスロットの時間である。すなわち、前記イベントは、前記ネットワークノードが前記無線デバイスからのＵＬ信号をリッスンする時間である。この結果、前記無線デバイスは前記ネットワークノードへ送信できる時間を通知される。
【００３３】
いくつかの側面によれば、前記予約済みタイムスロットはランダムアクセスウィンドウである。そのため、前記無線デバイスは、ランダムアクセスパケットを送信する時間を知らされる。
【００３４】
いくつかの側面によれば、前記イベントは、前記無線デバイスが前記ネットワークノードからのさらなる送信をリッスンすることが必要な時間である。この結果、前記無線デバイスは、複数の時間インスタンスでいかなる追加情報でもリッスンする必要がない。
【００３５】
いくつかの側面によれば、前記タイミング表示は前記同期シーケンスにエンコードされ、前記分析することは前記同期シーケンスをデコードすることを含む。
【００３６】
いくつかの側面によれば、前記無線デバイスは、いくつもの相違する同期シーケンスのための前記スペクトラムを監視し、前記相違する同期シーケンスの各々はそれぞれの時間またはタイミングへとマッピングされる。前記無線デバイスは、初めは前記ネットワークノートからどちらの方向に位置しているのか知らず、その結果、それがどの同期シーケンス送信を受信するか知らないので、無線デバイスはいくつもの可能性のある送信のスペクトラムを監視する。
【００３７】
いくつかの側面によれば、各同期シーケンスは、時間またはタイミングにインデックスによりマッピングされ、前記取得することは、前記インデックスを用いてタイミングの時間を検索することを含む。その結果、前記時間またはタイミングは、例えばテーブルの中で前記インデックスを調べることで決定できる。前記時間またはタイミングを知ることで、前記イベントの前記時間が与えられる。
【００３８】
いくつかの側面によれば、この開示はまた同期信号の一以上の同期シーケンスを受信するよう構成される無線デバイスに関連する。前記無線デバイスは通信インターフェイスと処理回路とを含む。前記処理回路は、前記無線デバイスに、同期シーケンスのためのスペクトラムを監視させ、第一の同期シーケンスが検出された場合に、検出された前記第一の同期シーケンスの内容を分析することによって、イベントの時間を定めるタイミング表示を取得させるよう構成される。前記無線デバイスはさらに、上述の及び下述の無線デバイス内の前記方法のすべての側面を実行するよう構成される。
【００３９】
いくつかの側面によれば、この開示はまた、無線デバイスのプログラム可能コントローラ内で実行されたときに、前記無線デバイスに上述の及び下述の前記方法を実行させるコンピュータプログラムコードを含むコンピュータプログラムに関連する。
【図面の簡単な説明】
【００４０】
前述したことは、それぞれ異なる図を通して同じ部分を同様の参照文字で参照する添付図面で説明するように、以下のより具体的な例示的実施形態の説明から明らかであろう。図面は必ずしも一定の縮尺ではなく、例示的な実施形態を図示することに重点を置いている。
【図１】図１は、それぞれ異なる方向へ送信するネットワークノードとそれぞれ異なるビームを受信する二つの無線デバイスを示す図である。
【図２】図２は、いくつかの例示的実施形態に従う無線デバイスの構成例である。
【図３】図３は、いくつかの例示的実施形態に従うネットワークノードのノード構成の例である。
【図４】図４は、ネットワークノードにおける方法ステップの実施形態を説明するフローチャートである。
【図５】図５は、無線デバイスドにおける方法ステップの実施形態を説明するフローチャートである。
【図６】図６は、ＦＤＤの場合における時間領域内ＰＳＳおよびＳＳＳフレーム及びスロット構造を示す。
【図７】図７は、SIB２を介して通知されるＰＲＡＣＨ構成の例を示す。
【図８】図８は、ＬＴＥにおけるＰＢＣＨ構造を示す。下部の図は、図中で太い矩形でマークされた一サブフレームの拡大である。
【図９】図９は、一セットの同期シーケンスの形態の、カウントダウン表示子（カウントダウンフィールド）を持つダウンリンク同期信号の例を示す。
【図１０】図１０は、同期信号の説明である。
【発明を実施するための形態】
【００４１】
本開示の諸側面が、添付図面を参照して以下でより完全に説明される。しかしながら、ここに開示される装置及び方法は多くの異なる形態で実現でき、ここで説明する形態に限定されると解釈されるべきではない。図面における同じ番号は全体にわたって同じ要素を参照する。
【００４２】
ここで使用される用語は、本開示の具体的な形態を説明する目的のみのためであり、この開示に限定する意図はない。ここで使用されるように、単数形"a"、"an"および"the"は、文脈上、他を明確に示す場合を除いてさらに複数形を含むことを意図している。
【００４３】
アクセスノード（ＡＮ）、無線ネットワークノードおよびネットワークノードは本開示を通して互換的に用いられる。
【００４４】
同期信号は、事前定義済みの信号であり、それにより受信デバイスが（そのマスタークロックを）時間及び／又は周波数において送信デバイスと揃えることができる。すなわち、受信デバイスは、シンボル（例えばＯＦＤＭシンボル）間の時間的な境界がどこにあるのかを学習でき、受信者が小さな許容誤差内で送信者と同じキャリヤ周波数を利用することを保証できる。そのような時間及び周波数の調整はデジタル無線通信のためには不可欠である。
【００４５】
背景で検討したように、将来のシステムは高利得狭ビームフォーミングを頻繁に利用できることが期待されている。ビームフォーミングを用いる場合、ビームフォーミングを用いるネットワークノードと通信する無線デバイスは、いつネットワークノードをリッスンあるいはネットワークノードに送信するか、すなわちいつそのビームが無線デバイスに向けられるかを知らないであろう。ビーム掃引中にいくつかの指向性ビーム１，２，３，４を送信するネットワークノード２０と二つの受信無線デバイス１０ａ、１０ｂの例を図１で説明する。
【００４６】
ビーム掃引は、時間及び周波数同期だけでなく他の目的に役立つことがある。具体的には、掃引はまた、新しいＵＥへのデータ送信のための最良なビーム方向を決定することに役立つ。そのような場合、ビームは、同期ビームを固有に識別するいくつかの情報を含んでよく、その結果、ＵＥはＡＮに、どのビームを最も良好に受信したかを報告できる。ここで、最良のビームは、いくつもの代替的な測定値により特徴づけでき、たとえば、最大電力、最大の信号雑音比、最小の到達時間（最も近いＡＮを示す）、あるいは閾値を超える最初の受信電力で受信したものである。これは空間的同期の一種として理解できる。簡単にするために、これからは時間及び周波数同期のための信号ならびビームＩＤを、単に同期信号と集合的に呼び、それは同期シーケンスを含む。
【００４７】
ＬＴＥにおいて、同期信号は同期シーケンス、すなわち事前定義済みパターンで反復される複合シンボルの事前定義済みシーケンスを含む。各同期シーケンスは受信デバイスにランダムアクセスウィンドウなどのイベントについて通知する。
【００４８】
同期シーケンスを含む同期信号がビーム掃引内で送信されると、同期シーケンスはビーム１，２，３，４の各々の中で反復されるであろう。通常はビーム及びそれにより同期シーケンスはそれぞれ異なる時間に送信されるであろう。すなわち同期シーケンスは時間依存である。このタイプの時間シフト同期シーケンスは本開示においては「時間依存」及び／又は「時間シフト」と呼ばれる。
【００４９】
図１は、時間依存同期シーケンスの第二（２）送信を無線デバイス１０ａが、第四（４）送信を無線デバイス１０ｂが、それぞれ異なる時間に受信することを示している。ＬＴＥにおいてはランダムアクセスウィンドウの時間は同期シーケンスの時間に依存しており、それは、それぞれ異なるビームに対応する複数の時間スロットの中でネットワークノードがランダムアクセス要求をリッスンする必要があることを意味する。
【００５０】
この開示は、ネットワークノードから送信される同期シーケンスの各々の中に、無線デバイスに対してまたはユーザ装置（ＵＥ）１０に対して、例えば追加情報をリッスンする時間及び／又はアップリンク情報を送信する時間を示すタイミング表示を含めることを提案する。タイミング表示は、いくつかの側面によれば、追加ダウンリンク送信及び／又はアップリンク信号が生じるはずの時間までのＯＦＤＭシンボルの数を示す整数であろう。例えば、一つのビーム方向が各ＯＦＤＭシンボルの中で送信されるなら、時間表示番号は、例えば各連続的ビーム内において、前のビーム内におけるより小さなものとなるであろうし、それゆえカウントダウンインジケータ又はカウントダウンフィールドと呼ぶことができる。
【００５１】
本発明は、同期シーケンスにおいて送信される信号によりタイミング表示を効率的にエンコードできる方法の詳細を説明するいくつかの例示的実施形態を含む。いくつかの側面によれば、同期シーケンスインデックスから時間インジケータへの事前定義済みマッピングが含まれた方法が提案される。すなわち送信された一セットの可能性のある事前定義済みの同期シーケンスの中からどの同期シーケンスを検出したかにより、受信機はタイミング表示のための値を推定できる。
【００５２】
図２，３は、以下で検討する例示的なノード動作の実施形態のいくつかを組み込んでよい無線デバイス１０およびネットワークノード２０の例を図示する。ネットワークノードは例えばｅＮｏｄｅＢである。図示したように、無線デバイス１０及びネットワークノード２０は、ネットワーク内で通信または制御信号を任意の形で受信し、送信するよう構成された無線通信インターフェイス１１，２１をそれぞれ有してよい。無線通信インターフェイス１１，２１は、任意の数の送受信、受信および／または送信ユニット又は回路として含まれていてもよいことは理解されるべきである。無線通信インターフェイス１１，２１が、本技術分野で既知の任意の入力／出力通信ポートの形であってもよいことも理解されるべきである。無線通信インターフェイス１１，２１はＲＦ回路及びベースバンド処理回路を含んでよい（不図示）。さらに、ネットワークノード２０は、任意の形の通信または制御信号をコアネットワーク及び／又は他のネットワークノードと交換するよう構成されたネットワーク通信インターフェイス２３を含んでよい。このネットワーク通信は通常バックホールと呼ばれる。
【００５３】
無線デバイス１０およびネットワークノード２０はさらに、無線通信インターフェイス１１，２１と通信できる少なくとも一つのメモリユニットまたは回路１４，２４をそれぞれ含んでよい。メモリ１４，２４は受信データまたは送信データを格納し、かつ／又はプログラム命令を実行できるよう構成されてよい。メモリ１４，２４はまた、任意の形のビームフォーミング情報、参照信号、及び／又はフィードバックデータまたは情報を格納するよう構成されてよい。メモリ１４，２４は、任意の適切なタイプのコンピュータ可読メモリであってよく、揮発性および／または不揮発性タイプであってよい。いくつかの側面によれば、この開示は、無線デバイスで実行されたときに、第一の無線デバイスに下述の例示したノード動作の任意の側面を実行させるコンピュータプログラムコード又は命令セットを含むコンピュータプログラムに関連する。いくつかの側面によれば、この開示は、ネットワークノードで実行されたときに、ネットワークノードに下述の例示したノード動作の任意の側面を実行させるコンピュータプログラムコード又は命令セットを含むコンピュータプログラムに関連する。
【００５４】
無線デバイス１０およびネットワークノード２０は、それぞれコントローラまたは処理回路１２，２２をさらに含んでよい。処理回路１２，２２は任意の適切なタイプの計算ユニット（例えばマイクロプロセッサ、デジタル信号プロセッサ（ＤＳＰ）、フィールドプログラマブルゲートアレイ（ＦＰＧＡ）または特定用途向け集積回路（ＡＳＩＣ））またはそのほかの任意の形態の回路であってよい。処理回路は単一のユニットとして提供される必要はなく、任意の数のユニットまたは回路として提供されてよいことは理解されるべきである。処理回路はさらに、上述の及び下述のネットワークノード内の前記方法のすべての側面を実行するよう構成される。
【００５５】
図４および図５は、図２の無線デバイス１０及び図３のネットワークノード２０に実装された提案技術の概念を説明する。
【００５６】
図４及び図５は実線枠で示された幾つかの動作と点線枠で示された幾つかの動作とを含むことは理解されるべきである。実線枠内に含まれる動作は、より広い例示的実施形態に含まれる動作である。点線枠内に含まれた動作は、実線枠の例示的実施形態の動作に含まれてよい、またはその一部であってよい、または追加的に必要とされてよい例示的実施形態である。動作は順序通り実行される必要がないことは理解されるべきである。さらに、すべての動作が実行される必要がないことは理解されるべきである。例示的な動作は、任意の適切な順序で、かつ任意の組み合わせで実行されてよい。
【００５７】
この開示は、一以上の受信無線デバイスに対する同期信号の同期シーケンスを送信するために、ネットワークノードにおいて用いる方法を提供する（図４参照）。前記方法は、複数の同期シーケンスを、各同期シーケンスがそれぞれのタイミング表示を含むように決定すること（Ｓ２）を含む。換言すれば、同期シーケンスはそれぞれ異なる時間に反復されるだけでなく、それどころか、同期信号の時間依存バージョンが、それらがそれぞれ異なるように選択され、または決定される。この結果、追加情報が時間依存バージョンに含まれ、それによりイベントの実際の時間が定められる。そのため、同期信号の全ての時間依存バージョンが、現在同じ時間すなわちランダムアクセスウィンドウなどのイベントの時間を参照する。このことは、同期シーケンスは或る意味でそれらが同じイベントを参照することと類似または同じであることを意味する。しかしながら、送信される複合した数の実際のシーケンスは異なってもよく、それは下でさらに説明される。そのため、提案された技術を使用する場合、各同期シーケンスにより受信無線デバイス内のイベントの時間が決定できる。いくつかの側面によれば、同期シーケンスは、例えばリードミュラー符号を用いた符号語である。
【００５８】
この方法はさらに、それぞれ異なる時間に同期シーケンスを一以上の無線デバイスに送信すること（Ｓ３）を含む。同期信号の一部である同期シーケンスは一又はいくつかの無線デバイスにそれぞれ異なる時間に送信される。すなわち、同じイベントを参照する同期シーケンスがそれぞれ異なる時間に再送信される。ネットワークノードの処理回路２２は、複数の同期シーケンスを決定し（Ｓ２）、通信インターフェイス２１を介して同期シーケンスを一以上の無線デバイスに送信する（Ｓ３）よう構成される。いくつかの側面によれば、処理回路は、同期シーケンスを決定するための決定部２２２と、同期シーケンスを送信するための送信部２２３とを含む。
【００５９】
いくつかの側面によれば、前記複数の同期シーケンスは、一つの特定のイベントを参照する同期信号の時間依存バージョンである。時間依存同期シーケンスを提供することにより、前記ビーム掃引がそれぞれ異なる時間に信号を送信する事実を補うことができる。各同期シーケンス内のタイミング表示を提供することで、前記無線デバイスは、しかるべく対処できるよう、イベントのより正確な時間を通知される。ビーム掃引を用いたシステムにおいて、前記タイミング表示は、前記無線デバイスを前記ネットワークノードへ同期させるための方法を提供する。前記イベントは、たとえば、前記ネットワークノードが前記無線デバイスからのシステムアクセス要求をリッスンするときである。その具体的なケースでは、前記無線デバイスは前記タイミング表示を用いて前記システムアクセス要求をいつ送信するかを決定する。前記無線デバイスはその結果、そのＵＬ信号を複数の時間インスタンスで送信する必要がない。また、前記システムにアクセスするために必要なすべての追加情報（たとえばシステム情報）を、複数の時間インスタンスにおいてリッスンする必要がなく、かつ／または前記ネットワークは複数の時間インスタンスにおいて追加情報を送信する必要がない。タイミング表示は、例を用いて以下に説明する。
【００６０】
イベントの時間は必ずしも事前に決定されているとは限らない。そのため、いくつかの側面によれば、前記方法は、前記イベントの時間を決定すること（Ｓ１）を更に含む。ネットワークノードの処理回路２２は時間を決定する（Ｓ１）よう構成される。いくつかの側面によれば、処理回路２２は時間を決定するための決定部２２１を含む。前記時間は、前記複数の同期シーケンス内の前記タイミング表示を提供するときに利用される。イベントの時間を決定することは、例えば、同期シーケンスの送信とイベントとの間の期間を決定することを含む。その他の例は、基準クロックにより与えられるようなイベントの絶対時間を決定することである。例は以下でさらに検討される。
【００６１】
図１で理解できるように、同期シーケンスは、いくつかの側面によれば、それぞれ異なる方向へと送信される。この結果、ネットワークノードからそれぞれ異なる方向に位置する無線デバイスは、それぞれ異なる方向（たとえば図１の２及び４）に送信されている同期シーケンスを受信する。無線デバイスは、その結果、タイミング表示を、前記イベントを前記ネットワークノードと同期させるために利用できる。ここでそれぞれ異なる方向とは図１から理解できるようにネットワークノードからのそれぞれ異なる空間的な方向を意味しているそれぞれ異なる方向へ送信することは、たとえば、アンテナアレイとも呼ばれるコロケーテッドアンテナを用いるいわゆるビームフォーミングにより成される。いくつかの側面によれば、同期シーケンスの送信はビーム掃引を構成する。すなわち、同期シーケンスはいくつもの方向へと連続する時間点でネットワークノードから送信される。前記ネットワークノードはその結果、高利得狭ビームフォーミングを利用し、それにより低アンテナ利得を持つ、通常のセクタ幅ビームにより現実にはカバーされないであろう非常に遠方のユーザに対しても高データレート送信カバレッジを可能とするであろう。
【００６２】
それぞれ異なる方向への、またはそれぞれ異なる時間における送信時に、タイミング表示は明確に定められる必要がある。いくつかの側面によれば、前記タイミング表示は前記それぞれの同期シーケンスの送信の時間に関連している。換言すれば、前記タイミング表示は、送信の時間に依存する。いくつかの側面によれば、タイミング表示は送信時間からの時間長を含む。前記タイミング表示が前記送信の時間に関連している場合、前記無線デバイスが前記イベントの時間がいつかを決定することは容易である。いくつかの側面によれば、タイミングｊ表示は基準クロックたとえばネットワークノードの基準クロックに関連する。基準クロックを用いる場合、前記基準クロックを参照することで、正確なタイミング表示を与えることができる。基準クロックは無線デバイスおよびネットワークノードの両方がアクセスするクロックである。いくつかの側面によれば、タイミング表示は、フレーム構造に関する現在時間の表示（例えば現在のスーパーフレームの開始からのＯＦＤＭシンボルの数）であり、無線デバイスはそこから、追加情報及び／又はアップリンク信号を対象とした時間までの時間を導くことができる。
【００６３】
いくつかの側面によれば、タイミング表示は、現在の信号中の全シーケンスが処理されるまで一度使用されて廃棄される疑似乱数である。無線デバイスは、必要に応じてこの疑似乱数を時間表示に変換するための変換方法を予め用意している。この実施形態の一つの可能な実装は、既知の開始状態を持つリニアフィードバックシフトレジスタの所定の状態のシーケンスを用いることである。
【００６４】
現在の開示が役立つ場合にはいくつものイベントの例がある。いくつかの側面によれば、前記イベントは、前記無線デバイスが送信を許容された予約済みタイムスロットの時間である。すなわち、前記イベントは、前記ネットワークノードが前記無線デバイスからのアップリンク（ＵＬ）信号をリッスンする時間である。この結果、前記無線デバイスは前記ネットワークノードへ送信できる時間を通知される。いくつかの側面によれば、前記予約済みタイムスロットはランダムアクセス（ＲＡ）ウィンドウである。そのため、前記無線デバイスは、ランダムアクセスメッセージを送信する時間を知らされる。前記イベントは例えばＲＡウィンドウの開始または他の動作の開始を定める。いくつかの側面によれば、前記時間は、例えばイベントがかなり長時間のウィンドウ（その長さは可変であるが他の手段により伝達されている）である場合に役立つ可能性のある予約済み時間スロットの開始時間である。
【００６５】
いくつかの側面によれば、アップリンク上の混雑を軽減するために、それぞれ異なるタイミング表示がそれぞれ異なる同期シーケンスで送信される。これらのそれぞれ異なるタイミング表示およびそれらの対応する同期は、通常はネットワークノードからそれぞれ異なる方向へ送信される。そのため、タイミング表示はそれぞれ異なる時間を参照してよく、それによりいくつものＲＡウィンドウが利用できる。この方法で、ネットワークノードからそれぞれ異なる方向に配置された無線デバイスはそれぞれ異なるＲＡウィンドウを利用するであろう。このアプローチは、多くの無線デバイスがネットワークノードのカバレッジに含まれている、すなわち多くのデバイスが同期信号を受信できるならば有用である。多くのデバイスが同期信号を検出すると、多くのデバイスがまたランダムアクセス信号を送信することになる。同時のＲＡ送信が多すぎ、その結果ネットワークノードがそれらすべてを正確に受信できないリスクは、それぞれ異なるＲＡウィンドウ内で送信する少なくとも二つのグループへのデバイスの方向的な分離によって軽減される。これは、ランダムアクセス（ＲＡ）リソース予約対輻輳のトレードオフを制御する適応可能性である。
【００６６】
いくつかの側面によれば、追加情報及び／又はアップリンク信号のための時間スロットは周期的に発生するのではなく、むしろトラフィック要求及び／又は他の無線デバイスのふるまいに基づいてネットワークにより動的に判断される。
【００６７】
ＬＴＥにおいてネットワークは、プライマリ同期シーケンス及びセカンダリ同期シーケンス（ＰＳＳ／ＳＳＳ）を、ＯＦＤＭシンボル及びサブフレーム両方の観点から、潜在的に既知の時間領域のスロット内の先験的に既知の周波数割り当て（ダウンリンク周波数帯域の６つの中央のリソースブロック）の中で送信する。換言すれば、ＵＥは、ＰＳＳ／ＳＳＳがそれぞれ、サブフレーム＃０及びサブフレーム＃５内で（通常のＣＰについて）反復されるＯＦＤＭシンボル＃６及び＃５内に入る。ＰＳＳとＳＳＳを両方検出した後、ＵＥは、ＯＦＤＭシンボルおよびサブフレームの両方の観点からＤＬ同期される。これは図６に示されている。
【００６８】
同期に加えて、ＵＥは、ＰＳＳ／ＳＳＳ内にエンコードされている物理セルＩＤ（ＰＣＩ）を検出する。UＥが、チャネルを推定し最も基本的な情報を含むシステム情報をデコードするためにセル固有参照信号(cell-specific reference signal、ＣＲＳ)を利用可能であることに基づいて、ＵＥはシステムにアクセスしようとする前にそれを知っているべきである。この情報は我々がマスタ情報ブロック（ＭＩＢ）およびシステム情報ブロック（ＳＩＢ）と呼ぶものの中に構成される。
【００６９】
この情報が送信される物理チャネルはブロックごとに異なる。例えば、マスタ情報ブロック（ＭＩＢ）は物理ブロードキャストチャネル（ＰＢＣＨ）上で送信され、一方、他のＳＩＢは物理ダウンリンク共有チャネル（ＰＤＳＣＨ）で送信され、それらは周波数帯域の他の部分で柔軟にスケジュールできる。ＬＴＥにおけるＰＢＣＨ構造は図８に示される。
【００７０】
システムにアクセスするために、ＵＥはランダムアクセス手続きを開始する必要がある。これは、ランダムアクセスプレアンブルを物理ランダムアクセスチャネル（ＰＲＡＣＨ）上で送信することで開始される。ＰＲＡＣＨはアップリンク帯域上で物理アップリンク制御チャネル（ＰＵＣＣＨ）と多重化でき、チャネル状態レポートのためにも利用できる。
【００７１】
ＵＥがランダムアクセスプレアンブルを送信できる前に、ＵＥは、ＵＬ帯域へのＰＲＡＣＨの多重化の仕方についての情報を取得しなければならない。これは、０から６３になり、他のものの間に以下のパラメータを含むＩＥのＰＲＡＣＨ構成インデックス内のＳＩＢ２で通知される（詳細はＴＳ ３６．２１１バージョン１１．２．０で見つけることができる）：プレアンブルフォーマット、サブフレームシーケンス番号およびサブフレーム番号。
【００７２】
構成インデックスは基本的に、ＵＥが、ＰＵＣＣＨ中のどの時間領域リソースで（すなわちＰＲＡＣＨ上で）ランダムアクセスプレアンブルを送信すべきかを示す。図７は所与のプレアンブルフォーマットのための構成のいくつかの例を示す。詳細はＴＳ ３６．２１１（チャプタ５．７．１）、バージョン１１．２．０で見つけることができる。
【００７３】
要約すれば、ＬＴＥにおいては、ＵＥは、システムアクセス要求を送信するために必要な情報を得るためにＳＩＢ２からの全てのペイロードをデコードする必要がある（ＤＬを同期し、チャネル推定を実行できる後）。これは、情報は、明確に定義された時間領域構造（ＯＦＤＭシンボル、サブフレーム、無線フレーム、その他）で、全方向へと送信される事実に依存している。
【００７４】
もうひとつの例は、イベントが前記ネットワークノードからのさらなる送信の時間の場合である。換言すれば、イベントは、無線デバイスが前記ネットワークノードからの別の送信をリッスンすべき時間である。これにより、無線デバイスは、同期シーケンスで定められた時間以外の他の時間に送信をリッスンする必要がないので、無線デバイスはより効率的になる。
【００７５】
いくつかの側面によれば、同期信号インデックスから時間へのマッピングは、ＬＴＥにおけるものなどの他の方法を介して、あるいはシステム制御プレーン（ＳＣＰ）アクセスコンセプトを介して取得できるシステム情報を介して通知される。ＬＴＥの場合、ＳＩＢ２メッセージは、ビームフォーミングされる同期シーケンスと、ＵＬ要求信号が送信されるべき、及び／又は追加情報が期待されるであろう時間−周波数割り当てとの間のマッピングを含むことができる。ＳＣＰアクセスコンセプトの場合、このマッピングは、アクセス情報テーブル（ＡＩＴ）を介して通知され得、システムシグネチャシーケンス（ＳＳＩ）により後で指し示せる。この文脈においてＵＬシステム要求信号は、例えばＰＲＡＣＨプレアンブル、送信されるべき更なるシステム情報の要求、或いは主要なより上位層の意味を持たないＵＬ同期メッセージであり得る。
【００７６】
一実施形態においては、「システム情報」は、システム帯域幅および／またはＬＴＥにおけるシステム情報に含まれた情報と同様の他の情報についての情報、特にシステムフレーム番号および規制情報(barring information)などのＭＩＢ、ＳＩＢ１およびＳＩＢ２の内容を含み得る。
【００７７】
タイミング表示を提供するいくつもの可能な方法がある。いくつかの側面によれば、前記タイミング表示は前記同期シーケンスにエンコードされる。すなわち、タイミング表示は暗黙的にエンコードされる。その結果このシステムは、例えば、事前定義された複数の異なる同期シーケンスを持ち、各同期シーケンスはそれと関連付けられたインデックスを持つであろう。同期シーケンスそれ自体は任意の構成を有し、通常はそのシーケンスは良好な自動相関および相互相関特性及び／又は良好なユークリッド距離またはハミング距離特性を持つように最適化されてよい。その結果、このような各インデックスは、事前定義済みマッピングに応じたタイミング表示に対応し、カウントダウンインデックスマッピングと呼ばれるであろう。一般的に、複数のシーケンスインデックス／同期シーケンスが同じタイミング表示に対応する。
【００７８】
複数のビームが同じ時間に単一のネットワークノードから又は複数のネットワークノードから送信される提案技術の変形においては、同じ（又は違う）タイミング表示をさらに受信する一方で、（例えばネットワークへの後のレポートのために）異なるビーム間で区別できることが無線デバイスに望まれることから、これは特に有用である。このようにして規定された同期シーケンスがインデックスのエンコードに等しいであろうことは容易に理解されるであろう。この変形の一例は、二つのビーム（ａおよびｂと呼ぶ）を同時に異なる方向へと送信するアクセスノードである。しかしながら、いくつかの理由から一時に一つの方向についてリッスンすることだけが望ましい。それゆえ、アクセスノードは、それぞれ異なる方向のＵＥがそれぞれ異なる時間に応答することを確認したい。
【００７９】
そのため一変形によれば、この開示は一以上の受信無線デバイスに対する同期信号の同期シーケンスを送信するために、ネットワークノードにおいて使用するための方法を提案する。この方法は、各同期シーケンスがそれぞれのタイミング表示を含むよう複数の同期シーケンスを決定し、それにより各同期シーケンスによって受信無線デバイス内のそれぞれの（または同じ）イベントの時間を決定でき、また前記ネットワークノードに、前記同期シーケンスを前記一以上の無線デバイスへと少なくとも部分的に同じ時間に異なる方向へ送信することを含む。
【００８０】
この変形のもう一つの例は、アクセスノードが方向ａへの一つのビームと方向ｂへの他のビームとを送信してよいことである。しかしながら、ＵＥはいくつかの理由で一度に一方向にのみ送信でき、それはアクセスノードのより知られている。その結果アクセスノードは、ＵＥが一度に一方向に応答できることを確認したい。
【００８１】
ここで図４に戻る。この方法のいくつかの側面によれば、前記同期シーケンスの各一つは、一セットの相違する同期シーケンスから一同期シーケンスを含むよう決定され、前記セットのうちの前記相違する同期シーケンスの各々はそれぞれの時間またはタイミングへとマッピングされる。ここで例えば、タイミング表示は、受信無線デバイスが同期信号インデックスからタイミング表示の値を推定できるその同期信号インデックスに対応する。別々の同期シーケンスが別々の方向へと別々の時間に送信され、それらが相違する、すなわち区別できる場合、受信無線デバイスはタイミング表示のための値を推定できる。換言すれば、前記タイミング表示は、前記異なる同期シーケンス内で黙示的である。他の例は、各同期シーケンスは時間またはタイミングにインデックスによってマッピングされることである。複数の異なるシーケンスインデックスが同じタイミング表示にマッピングされ得ることに注意されたい。その結果、前記時間またはタイミングは、例えばテーブルの中で前記インデックスを調べることで決定できる。
【００８２】
いくつかの側面によれば、暗黙のエンコーディングの場合、複数のそれぞれ異なる同期シーケンスが、例えばそれぞれ異なる時間スロット内のそれぞれ異なるサブキャリヤ上の同じ同期シーケンスを送信することにより、同じ基本同期シーケンスのそれぞれ異なる周波数シフトバージョンに対応できる。シーケンスが送信される周波数はタイミング表示へとマッピングできる。
いくつかの側面によれば、アップリンク信号は物理ランダムアクセスチャネル（ＰＲＡＣＨ）上で送信でき、ここでアップリンク信号は例えばランダムアクセスプレアンブル又はアップリンク同期チャネル（ＵＳＳ）であってよく、ここでアップリンク信号は例えばアップリンク同期シーケンス／信号であってよい。
【００８３】
例示実施形態
本開示の一例示実施形態では、ダウンリンク同期信号（シーケンス）はインデックス付けされ、その結果インデックスは一連の連続番号を形成する。これはシステム情報内に記述でき、或いは標準化すらされるかもしれない上術の非事前設定シナリオのためｊに一セットのダウンリンク同期信号を全体として用いる場合、アクセスノードは、インデックスが一連の連続番号を形成する一セットのダウンリンク同期信号を選択するだろう。ダウンリンク同期信号は、対応するインデックスが一連の連続減少番号を形成するような順序で送信される。アップリンク信号たとえばランダムアクセス要求などのシステムアクセス要求が送信されるときに、ダウンリンク信号の起こり得る送信によって示されるように、インデックスの一連番号は、一定数の最小有効ビットがゼロであるところの数に到達するはずである。このダウンリンク同期信号をセット末尾ダウンリンク同期信号と呼び、そのインデックスをセット末尾インデックスと呼ぶことができる。用語「起こり得る送信」は、それが送信されることが確実ではないことから、ここではセット末尾ダウンリンク同期信号について用いられる。アクセスノードが、アップリンク信号以前の長い時間を終わらせるために一セットの同期ビーム送信を望むならば、インデックスの減少連続番号はセット末尾インデックスに達する前に中断されるであろう。
【００８４】
この原理により、各ダウンリンク同期シーケンスは、インデックスを介して、無線デバイスに対するダウンリンク同期シーケンス送信からアップリンク信号送信までの時間距離を正確に示し、すなわちそれはカウントダウンインジケータの目的に役立つ。たとえば、セット末尾インデックスの形式が００００を持つインデックスの末尾として定義されているなら、一セットのダウンリンク同期シーケンスは、二進の一連インデックス（８ビットインデックスとする）01010111, 01010110, 01010101, 01010100, 01010011, 01010010, 01010001, 01010000（すなわち十進の８７，８６，８５，８４，８３，８２，８１，８０）を持つ８つのダウンリンク同期シーケンスを含んでよい（図９の末尾の８つのインデックスを参照）。セット末尾ダウンリンク同期シーケンスが送信されないもう一つの例においては、アップリンク信号までにより長い時間が要求されるので、インデックス 01011001, 01011000, 01010111, 01010110, 01010101, 01010100, 01010011, 01010010（すなわち十進の８９，８８，８７，８６，８５，８４，８３，８２）を持つダウンリンク同期シーケンスがあり得る。後者の例は、図９に説明されており、セット末尾ダウンリンク同期シーケンスの（仮定的／潜在的）送信の後に発生するように規定されたたアップリンク信号のための時間（ＴUSSと示した（ここでＵＳＳはアップリンク信号を意味する））を示している。ＵＬ信号の一例はアップリンク同期信号」（ＵＳＳ）、システムアクセス要求またはそのほかのものであり得る。図９において、各ボックスは固有のインデックスを持つ移動参照信号（ＭＲＳ）を図示し、ここのＭＲＳはダウンリンク同期シーケンスを意味し、アップリンク同期チャネル（ＵＳＳ）はアップリンク信号を意味する。左側の垂直矢印は、セット末尾ＭＲＳの仮定的送信を示し、一方、右側の垂直矢印は、アップリンク信号ＴUSSを発生させるよう定められたアップリンク信号のための時間を示す。
【００８５】
もう一つの例において、いくつかの側面によれば、送信されたビームそれぞれは少なくとも二つの部分を含み、トレーニング（パイロット／参照／同期）シーケンス、例えばＱＰＳＫ変調シンボルまたはZadoff-Chuシーケンスの例えば事前定義済みシーケンスとして役立つ一方の部分により無線デバイスは同期でき、ビームを検出でき、チャネル推定を実行でき、タイミング表示を含む一つの部分は何らかのチャネル符号、例えばReed-Muller符号を用いてエンコードされる。この二つの部分は例えば、異なっているが通常は隣接した時間および／または周波数リソースを用いることにより分離され得る。図１０は、各ＯＦＤＭシンボルが、時間でｎＡとｎＢ（ｎはＯＦＤＭシンボル番号）とに分けられた二つの部分から成る同期信号の例示的な図である。水平軸はＯＦＤＭシンボル番号を表し、垂直軸は周波数を表す。
【００８６】
既に説明したように、タイミング表示は、同期シーケンスの中で暗黙的にエンコードできる。このアプローチの変形は、送信された各ビームが、時間および／または周波数で分離された二つ以上の部分から成るようにでき、両部分は或る種の同期シーケンスから成るが、二つの同期信号は同じではない。
【００８７】
例えば、一方の部分の同期シーケンスは多くのビーム方向および／または時間インスタンスについて同じであって良く、一方、他方の部分におけるシーケンスは異なるビーム方向および／または時間インスタンスについて異なっていてよい。そのような構成は無線デバイスの計算の複雑性を軽減するために役立つ。第一部分については、わずかな起こり得る同期シーケンスだけがシステム内で必要とされてよく、探索空間を縮小してそれゆえ無線デバイスの計算の複雑性を軽減し、一方、第二の部分については、無線デバイスが第一の部分からのより良好なチャネル推定を既に持つので、無線デバイスの複雑性を適度に維持しつつ、より多くの同期シーケンスをシステム内で使用できる。
【００８８】
いくつかの側面によれば、たとえば、それぞれ異なるカウントダウンインジケータ値を持つビーム走査を受信機が受信できるよう、一定のビーム方向が二回以上反復される。
【００８９】
いくつかの側面によれば、この開示はまた、ネットワークノードのプログラム可能コントローラ内で実行されたときに、前記ネットワークノードに上述の及び下述の前記方法を実行させるコンピュータプログラムコードを含むコンピュータプログラムに関連する。換言すれば、この開示はまた、ネットワークノードのプログラム可能コントローラ内で実行されたときに、前記ネットワークノードに上述の及び下述の前記方法を実行させるコンピュータプログラムが格納されたコンピュータ可読記憶媒体に関連する。
【００９０】
この開示は無線デバイスにおける対応する方法を提供し、それを今図５を参照して説明する。この開示は、同期信号の一以上の同期シーケンスを受信するために、無線デバイス１０で用いられる方法を提供する。この方法は同期シーケンスのためのスペクトラムを監視すること（Ｓ１１）を含む。ここでスペクトラムを監視することは、無線信号を受信すること、および、受信信号及び場合によっては例えばノイズおよび干渉レベルについての追加的な仮定に基づいて、一以上の事前定義済み同期シーケンスについての品質指標（例えば送信された尤度）を推定することを意味する。そのような品質指標は、通常、受信信号が一以上の事前定義済み同期シーケンス（例えばランダムアクセスプレアンブル）と相関している整合フィルタアプローチに基づいてよい。通常、監視することは、整合が見いだされるまで、すなわち相関が一定の閾値を超えるまで続けられる。
【００９１】
第一の同期シーケンスが検出されると、この方法は、検出された第一の同期シーケンスの内容を分析することでイベントの時間を定めるタイミング表示を取得すること（Ｓ１２）を含む。ネットワークノードの説明において、タイミング表示をどのように含めることができるかに関して多くの例が与えられる。
【００９２】
無線デバイスの処理回路１２は、通信回路11を介してスペクトラムを監視し（Ｓ１１）、タイミング表示を取得する（Ｓ１２）よう構成される。いくつかの側面によれば、前記処理回路は、監視するための監視ユニット１２１と、タイミング表示を取得するための取得部１２２とを含む。タイミング表示は、送信ネットワークノードにより同期シーケンスに含められている。
【００９３】
従って、前記無線デバイスは、前記イベントの時間を知らされ、それに応じて対処できる。前に検討したように、これによって例えば、前記無線デバイスはその結果、そのアップリンク（ＵＬ）信号を複数の時間インスタンスで送信する必要がない。また例えば、前記システムにアクセスするために必要なすべての追加情報（たとえばシステム情報）を、複数の時間インスタンスにおいてリッスンする必要がなく、かつ／または前記ネットワークは複数の時間インスタンスにおいて追加情報を送信する必要がない。
【００９４】
いくつかの側面によれば、ネットワークノードが無線デバイスにビーム識別子のリスト又は監視するためのシーケンスインデックスを提供するシステム実装においては、所与のビームのために提供されたインデックスは、（１）インデックスシーケンス全体の最初の部分と、（２）カウントダウン仮定の数すなわちタイマ値とを含んでよい。無線デバイスはその結果、シーケンス全体を形成するためにタイマのビットをシーケンスの最初の部分に加算し、対応する参照シーケンスを導き出してよく、それは受信信号の中で探索されるであろう。
【００９５】
前に検討したように、前記複数の同期シーケンスは、いくつかの側面によれば、一つの特定のイベントを参照する同期信号の時間依存バージョンである。検出された第一の同期シーケンスの内容を分析することは、たとえば、第一の同期シーケンスをデコードし、タイミング表示を探索することを含む。
【００９６】
無線デバイス１０の位置に応じて、無線デバイスは一以上の同期シーケンスを受信してよい。いくつかの側面によれば、前記方法は、第二の同期シーケンスを受信すること（Ｓ１１ｂ）を含み、前記第一と前記第二の同期シーケンスは同じ時間を定める。この例においては、タイミング表示が送信時間からの相対時間である場合、前記相対時間は同期シーケンスの中では異なるが、前記タイミング表示は同じ時間を定める。いくつかの側面によれば、無線デバイスが一つの同期信号を受信することで十分であるが、十分な信頼性のためにいくつも必要なケースがあるかもしれない。いくつかの側面によれば、ネットワークノードが無線デバイスにそのデバイスがそのような状況に対処する方法を予め伝達しておく。一例は、ネットワークノードが無線デバイスに、各ビーム方向について、繰り返しのどれであるかを示すために各反復ごとに１減らされるカウントダウンフィールドを除いてすべての回で同じシーケンスを用いて、同期シーケンスをＮ回反復することを伝達しておく。いくつかの側面によれば、前記タイミング表示は前記それぞれの同期シーケンスの送信の時間に対する相対時間である。前記タイミング表示が前記送信の時間に関連している場合、前記無線デバイスが前記イベントの時間がいつかを決定することは容易である。その結果、前記同期シーケンスは、それぞれ異なるが同じ時間を定めるタイミング表示を含んでよい。これは例えば、前記イベントが、前記ネットワークノードから全方向の全無線デバイスについて同じ時間に発生するイベントであるならば有用である。また検討したように、ネットワークノードの方法を検討するときには、タイミング表示は、いくつかの側面によれば、基準クロックに関連しており、又はイベントは、無線デバイスが送信できる予約済みタイムスロットの時間である。いくつかの側面によれば、前記予約済みタイムスロットはランダムアクセスウィンドウである。これら例の詳細は、以前に検討されている。
【００９７】
いくつかの側面によれば、前記方法は前記タイミング表示により定められる前記時間においてトランシーバの動作を実行すること（Ｓ１３）を含む。換言すれば、無線デバイスは、同期シーケンスで規定された時間に送信および／または受信する。
【００９８】
処理回路１２は、複数の同期シーケンスを実行する（Ｓ１３）よう構成される。いくつかの側面によれば、処理回路２２は決定するための決定部123を含む。トランシーバの動作は例えば表示されたＲＡＣＨスロットでランダムアクセスプレアンブルを送信することである。いくつかの側面によれば、前記イベントは、前記無線デバイスが前記ネットワークノードからのさらなる送信をリッスンすることが必要な時間である。この結果、前記無線デバイスは、複数の時間インスタンスでいかなる追加情報でもリッスンする必要がない。
【００９９】
また前に検討したように、ネットワークノードの方法を検討するときには、タイミング表示は、いくつかの側面によれば、同期シーケンスにエンコードされ、分析することは同期シーケンスをデコードすることを含む。タイミング表示が同期シーケンスにエンコードされているなら、無線デバイスは、イベントの時間を検出するために同期シーケンスをデコードする必要があってよい。
【０１００】
いくつかの側面によれば、前記無線デバイスは、いくつもの相違する同期シーケンスのための前記スペクトラムを監視し、前記相違する同期シーケンスの各々はそれぞれの時間またはタイミングへとマッピングされる。前記無線デバイスは、初めは前記ネットワークノートからどの方向に位置しているのか知らず、その結果どの同期シーケンス送信を受信するか知らないので、それはいくつもの可能性のある送信のスペクトラムを監視する。明確な同期シーケンスは各々、イベントの時間またはタイミングを提供する。異なるイベントにマッピングされている異なる同期シーケンスがあるなら、特定のシーケンス（またはプレアンブル）の単なる検出は、無線デバイスに例えばそのランダムアクセス要求をどこに送信すべきかを教える。
【０１０１】
前に検討したように、この時間またはタイミングは、なにか他のもの対して相対的か又は絶対的かのどちらかである。いくつかの側面によれば、各同期シーケンスは、時間またはタイミングにインデックスによりマッピングされ、前記取得すること（１２）は、前記インデックスを用いてタイミングの時間を検索することを含む。複数の異なるシーケンスインデックスが同じタイミング表示にマッピングされ得ることに注意されたい。その結果、前記時間またはタイミングは、例えばテーブルの中で前記インデックスを調べることで決定できる。この結果、時間またはタイミングはイベントの時間を定める。
【０１０２】
いくつかの側面によれば、この開示はまた、無線デバイスのプログラム可能コントローラ内で実行されたときに、前記無線デバイスに上述の及び下述の前記方法を実行させるコンピュータプログラムコードを含むコンピュータプログラムに関連する。換言すれば、この開示はまた、無線デバイスのプログラム可能コントローラ内で実行されたときに、前記無線デバイスに上述の及び下述の前記方法を実行させるコンピュータプログラムが格納されたコンピュータ可読記憶媒体に関連する。
【０１０３】
上記説明は、ネットワークノードのネットワークに同期すべき無線デバイスを首尾一貫して考慮しているが、同じ技術を、他の同期および／またはビーム探索状況（たとえばネットワーク、特にセルフバックホールを用いたネットワークにおいて、他の既存のネットワークノード（又は無線デバイスでさえ）に同期する必要の或る新しく展開されたネットワークノード）に利用できる。この説明はまたデバイス２デバイス（Ｄ２Ｄ）の初期の同期に適用される。そのため、上述したこの技術は、多くの場合、「アップリンク」が「ダウンリンク」により置き換えられた場合、及びその逆の場合に等しく良好に適用できる。さらに、上記説明は、最初のアクセスに焦点を合わせているが、同様の技術をたとえばハンドオーバの状況における同期および／またはビーム探索のために利用できる。
【０１０４】
上記開示は第一に統合的な同期およびビーム探索を考慮しているが、たとえば同期は既に他の手段によって達成されているので、この技術はビームｔ贋作のみが必要な状況にも適用できる。
【０１０５】
上記開示はしばしば例としてＯＦＤＭを説明している。しかしながら、ここで説明した技術は、たとえばＤＦＴ拡散ＯＦＤＭ、フィルタ付きＯＦＤＭ、フィルタバンクマルチキャリヤ（ＦＢＭＣ）、単一キャリヤ周波数分割多元アクセス（ＳＣ−ＦＤＭＡ）、その他を含む、ＯＦＤＭのいくつもの変形と、もちろん他の多くの多重化方式にも適用できる。この技術はまた他のタイプのＲＡＴ、ＴＤＭＡ，ＣＤＭＡ、その他にも適用できる。
【０１０６】
検出されたカウントダウンインジケータの値は何らかの方法でＵＥからアップリンクリソース（例えばシステムアクセス要求）に埋め込まれてもよい。これは、ネットワークが、ＵＥがどのビームを聞いたかを判定するのに役立つ。
【０１０７】
この開示はリソース割り当てオーバーヘッドの著しい減少をもたらす。同期信号とアップリンク信号との間の時間を固定させることに比べて、必要とされるアップリンクリソースが減少する。全ダウンリンクビームにおける詳細システム設定（システム情報）を送信することと比べて、ダウンリンクシグナリングにおける低減が達成される。同期シーケンスに含まれたタイミング表示は、アップリンク信号のための適切なタイミングを表示するきわめて柔軟な方法である。システムは、このアプローチにより、たとえばＰＲＡＣＨを用いる例えばランダムアクセスパケットの形式でアップリンク信号が許される頻度を設定できる。この方法は、アップリンクアクセス（ＰＲＡＣＨ）のための時間間隔の設定が固定（または準静的に）されることと対照的である。ネットワークノードは、アップリンクリソースを節約するために、いくつものビームおよび無線デバイス（またはＵＥ）が同じタイミング表示を与えられるかどうか選択でき、あるいは、輻輳を軽減するために、それぞれ異なるビームおよびＵＥがアップリンク時間間隔を分離するよう設定されるべきであるかどうかを選択できる。
【０１０８】
この利点は、ネットワークノード及び／又は無線デバイスにおいてアナログのビームフォーミングが用いられているシステムでとくに言明されてよい。このためには幾つかの理由があり、ここではただ一例を公開する。アナログビームフォーマは通常、デジタル的に制御された位相シフタをビーム構成を定めるために用い、得られたパターンの形状は、アンテナエレメント又はアンテナポート用に選ばれた特定の位相整合(phasing)に依存する。この結果、複数のメインローブを持つビームパターンが、幾つかの方向について同じタイミング表示でラベル付けされ、様々な方向からのアップリンク信号を同じタイミング表示の値に一致させることができる。このアップリンク信号は、任意の有利な位置の一以上の無線デバイスからのランダムアクセス信号から生じ得る。
【０１０９】
この開示の文脈の中で、用語「無線端末」または「無線デバイス」は、他のデバイスのみならずオプションで無線信号の送信及び／又は受信により無線ネットワークのアクセスノードと無線で通信可能な任意の端末を包含する。この結果、用語「無線端末」は、ユーザ機器（例えばＬＴＥのＵＥ)、移動端末、マシンツーマシン通信のための据え付け型または移動無線デバイス、統合型または埋め込み型無線カード、外部プラグイン型無線カード、ドングルその他を包含するがそれらに限られない。この開示を通して、用語「ユーザ機器」はしばしばそれぞれ異なる実施形態を例示するために用いられる。しかしながら、ここに説明した概念は等しく他の無線ノードに適用可能であるので、これは制限的に解釈されるべきではない。それゆえ、「ユーザ機器」または「ＵＥ」がこの開示で参照されるときにはいつでも、これは上で定義した任意の無線端末を包含するものとして理解されるべきである。
【０１１０】
この開示の複数の側面が、図面たとえばブロック図及び／又はフローチャートを参照して説明される。図面中のいくつかのエンティティたとえばブロック図中のブロックおよび図面中のエンティティの結合は、コンピュータプログラム命令により実装可能であることが理解され、その命令はコンピュータ可読メモリに格納可能であり、コンピュータに、または他のプログラム可能データ処理装置にロード可能である。コンピュータおよび／または他のプログラム可能なデータ処理装置を介して実行する命令が、ブロック図及び／又はフローチャートのブロックまたはブロックらで特定された機能／動作を実行するための手段を作成するように、そのようなコンピュータプログラム命令が、汎用コンピュータのプロセッサ、専用コンピュータおよび／または他のプログラム可能なデータ処理装置の上に提供されて機械を製造できる。
【０１１１】
幾つかの実施形態では、この開示のいくつかの側面によれば、ブロックに表された機能またはステップがどうさせつめい中で言及された順序から外れることもあり得る。例えば、二つの連続するブロックは、関連する機能性／動作に依存して、実際には実質的に同時に実行でき、またはそれらブロックはしばしば逆の順序で実行できる。また、ブロック中に表された機能またはステップは、この開示のいくつかの側面によれば、ループ中で連続的に実行できる。
【０１１２】
図面及び明細書において、この開示の例示的な側面が開示されている。しかしながら、これらの側面に対する多くのバリエーション及び変形が、実質的に本開示の原理から乖離することなしに成され得る。この結果、この開示は限定的というより説明としてみなされるべきであり、上述した特定の側面に限定されるものとみなされるべきではない。従って、特定の用語が使用されているが、それらは制限という目的でではなく、一般的かつ説明的な意味のみで使われる。
【０１１３】
ここに提供された例示的実施形態の説明は、説明目的のために提示されている。この説明は網羅的であること、又は例示実施形態を開示した精密な形式に限定することを意図しておらず、変形やバリエーションが、上述の教示を踏まえて可能であり、または提供した実施形態のそれぞれ異なる代替物の実行から得られる。ここで検討した例は、それぞれ異なる例示実施形態の原理及び性質と、意図した特定の利用に適している、当業者により例示実施形態を種々の方法で種々の変形とともに使用することができるその実用的な応用とを説明するために選ばれ説明された。ここで説明した実施形態の特徴は、方法、装置、モジュール、システムおよびコンピュータプログラム製品の全ての可能な組み合わせで結合してよい。ここで示した例示的実施形態が任意の相互結合で実行してよいことは理解されるべきである。
【０１１４】
単語「含んでいる」は、リストされた要素またはステップ以外の他の要素またはステップを必ずしも排除せず、要素に先行する単語"a"または"an"は、複数のそれら要素の存在を排除しないことは理解されるべきである。また、いかなる参照符号も特許請求の範囲を限定しないこと、例示実施形態がハードウェアおよびソフトウェアの両方により少なくとも部分的に実装してよいこと、及び、いくつかの「手段」「ユニット」または「デバイス」はハードウェアの同じアイテムで表されてよいことに注意すべきである。
【０１１５】
ここで説明した種々の例示実施形態は、方法ステップまたはプロセスの一般的な文脈で説明され、それは、一形態において、ネットワーク化された環境中のコンピュータにより実行されるプログラムコードなどのコンピュータ実行可能命令を含む、コンピュータ可読メモリに統合されたコンピュータプログラム製品によって実施される。コンピュータ可読媒体は、読み出し専用メモリ（ＲＯＭ）、ランダムアクセスメモリ（ＲＡＭ）、コンパクトディスク（ＣＤ）、デジタルバーサタイルディスク（ＤＶＤ）その他を含むリムーバブルおよび非リムーバブルストレージデバイスを含んでよい。一般的に、プログラムモジュールは、特定のタスクを実行し、または特定の抽象的データ型を実装する、ルーチン、プログラム、オブジェクト、コンポーネント、データ構造その他を含んでよい。コンピュータ実行可能命令、関連データ構造及びプログラムモジュールは、ここで開示した方法のステップを実行するためのプログラムコードの例を示す。そのような実行可能命令の特定の列または関連データ構造は、そのようなステップまたはプロセスにおいて説明した機能を実施するための対応する動作の例を示す。
【０１１６】
図面及び明細書において、例示的実施形態が開示されている。しかしながら、これら実施形態に対する多くのバリエーション及び変形が可能である。従って、特定の用語が使用されているが、それらは制限という目的でではなく、一般的かつ説明的な意味のみで使われており、実施形態の範囲は以下の特許請求の範囲により定義される。
【図１】
2019193286.tif 000003
【図２】
2019193286.tif 000004
【図３】
2019193286.tif 000005
【図４】
2019193286.tif 000006
【図５】
2019193286.tif 000007
【図６】
2019193286.tif 000008
【図７】
2019193286.tif 000009
【図８】
2019193286.tif 000010
【図９】
2019193286.tif 000011
【図１０】
2019193286.tif 000012
【手続補正書】
【提出日】令和1年6月28日(2019.6.28)
【手続補正１】
【補正対象書類名】特許請求の範囲
【補正対象項目名】全文
【補正方法】変更
【補正の内容】
【特許請求の範囲】
【請求項１】
一以上の受信無線デバイスに対して、ビーム掃引において送信される、同期信号の同期シーケンスを送信するために、ネットワークノードで用いられる方法であって、
−  各同期シーケンスがそれぞれのタイミング表示を含み、前記タイミング表示は同期信号インデックスに対応しており、それによって前記同期信号インデックスにより受信無線デバイスにおけるイベントの時間を決定できるよう、複数の同期シーケンスを決定すること（Ｓ２）であって、前記イベントの時間は、前記ネットワークノードが前記受信無線デバイスからのＵＬ信号をリッスンすべき時間を含むことと、
−  それぞれ異なる時間に前記同期シーケンスを前記一以上の無線デバイスに送信すること（Ｓ３）と、を含む方法。
【請求項２】
請求項１に記載の方法であって、前記複数の同期シーケンスは、一つの特定のイベントを参照する同期信号の時間依存バージョンである、方法。
【請求項３】
請求項１または２に記載の方法であって、
−  前記イベントの時間を決定すること（Ｓ１）を更に含む、方法。
【請求項４】
請求項１乃至３のいずれか一項に記載の方法であって、前記同期シーケンスはそれぞれ異なる方向へと送信される、方法。
【請求項５】
請求項４に記載の方法であって、前記同期シーケンスの送信はビーム掃引を構成する、方法。
【請求項６】
請求項１乃至５のいずれか一項に記載の方法であって、前記タイミング表示はそれぞれの前記同期シーケンスの送信の時間に関連している、方法。
【請求項７】
請求項１乃至６のいずれか一項に記載の方法であって、前記タイミング表示は基準クロックに関連している、方法。
【請求項８】
ビーム掃引において送信される、同期信号の一以上の同期シーケンスを受信するために、無線デバイスで用いられる方法であって、
−  同期シーケンスのためのスペクトラムを監視すること（Ｓ１１）と、第一の同期シーケンスが検出されると、
−  検出された前記第一の同期シーケンスの内容を分析することでイベントの時間を定めるタイミング表示を取得すること（Ｓ１２）とであって、前記タイミング表示は同期信号インデックスに対応しており、それによって前記同期信号インデックスにより前記無線デバイスにおけるイベントの時間を決定でき、前記イベントの時間は、前記無線デバイスがアップリンク（ＵＬ）信号を送信できる予約済みタイムスロットの時間を含むことと、を含む方法。
【請求項９】
請求項８に記載の方法であって、
−  第二の同期シーケンスを受信すること（Ｓ１１ｂ）を含み、前記第一の同期シーケンスと前記第二の同期シーケンスは同じ時間を定める、方法。
【請求項１０】
請求項８または９に記載の方法であって、
−  前記タイミング表示により規定される前記時間にトランシーバ動作を実行すること（Ｓ１３）を含む、方法。
【請求項１１】
請求項８乃至１０のいずれか一項に記載の方法であって、前記タイミング表示はそれぞれの前記同期シーケンスの送信の時間に関連している、方法。
【請求項１２】
請求項８乃至１１のいずれか一項に記載の方法であって、前記タイミング表示は基準クロックに関連している、方法。
【請求項１３】
請求項８乃至１２のいずれか一項に記載の方法であって、前記イベントは、前記無線デバイスが送信を許容された予約済みタイムスロットの時間である、方法。
【請求項１４】
一以上の受信無線デバイスに対して、ビーム掃引において送信される、同期信号の同期シーケンスを送信するよう構成された、セルラ通信ネットワークにおけるネットワークノード（２０）であって、
−  通信インターフェイス（２１）と、
−  前記ネットワークノード（２０）に、
−  各同期シーケンスがそれぞれのタイミング表示を含み、前記タイミング表示は同期信号インデックスに対応しており、それによって前記同期信号インデックスにより受信無線デバイスにおけるイベントの時間を決定できるよう、複数の同期シーケンスを決定させ（Ｓ２）、前記イベントの時間は、前記ネットワークノードが前記受信無線デバイスからのＵＬ信号をリッスンすべき時間を含み、
−  それぞれ異なる時間に前記同期シーケンスを前記一以上の無線デバイスに送信させる（Ｓ３）よう構成された処理回路（２２）と
を含むネットワークノード（２０）。
【請求項１５】
ビーム掃引において送信される、同期信号の一以上の同期シーケンスを受信するよう構成された無線デバイス（１０）であって、
−  回路の通信インターフェイス（１１）と、
−  前記無線デバイス（１０）に、
−  同期シーケンスのためのスペクトラムを監視させ（Ｓ１１）、第一の同期シーケンスが検出されると、
−  検出された前記第一の同期シーケンスの内容を分析することでイベントの時間を定めるタイミング表示を取得させ、前記タイミング表示は同期信号インデックスに対応しており、それによって前記同期信号インデックスにより前記無線デバイスにおけるイベントの時間を決定でき、前記イベントの時間は、前記無線デバイスがアップリンク（ＵＬ）信号を送信できる予約済みタイムスロットの時間を含む、（Ｓ１２）よう構成された処理回路（１２）と
を有する無線デバイス（１０）。
【外国語明細書】
2019193286000001.pdf